(57)【特許請求の範囲】
【請求項１】
雌ネジ及び／又は雄ネジが挿通されるネジ固定部が、筐体の垂直面または傾斜面に設けられた電気機器収納用箱のネジ固定構造であって、
前記ネジ固定部の周縁上部を覆うように突出した突出部を備え、
前記ネジ固定部は、前記突出部が形成された筐体の垂直面または傾斜面の裏面側の下部に排水部を備えた電気機器収納用箱のネジ固定構造。
【請求項２】
前記突出部は周縁下側に切り欠き部を備えた請求項１に記載の電気機器収納用箱のネジ固定構造。
【発明の詳細な説明】
【技術分野】
【０００１】
本発明は、電気機器収納用箱のネジ固定構造に関するものである。
【背景技術】
【０００２】
従来から、各種電気機器を収納するため、電気機器収納用箱が用いられている。この電気機器収納用箱には筐体にネジを固定して利用することがある。例えば特許文献１には、筐体に遮光板を固定するに際して、筐体に固定した雌ネジに、雄ネジを締めこむ構造を採用している。
【先行技術文献】
【特許文献】
【０００３】
【特許文献１】特開２０１４−２０３９３９号公報
【０００４】
ところで、ネジ止めしている位置の上方から水が伝い落ちてくると、雄ネジを挿通する取付孔や雌ネジ内に水が侵入してしまう場合がある。この水がそこに溜まると、雄ネジや雌ネジの錆の発生を助長してしまう虞がある。錆が発生すると雄ネジや雌ネジがもろくなる。また、錆の発生により、雄ネジの取り外しが困難になってしまうことが考えられる。
【発明の概要】
【発明が解決しようとする課題】
【０００５】
このような事象への対応を発明者は鋭意検討し、本発明に至っている。したがって、本発明の目的は、ネジを採用している電気機器収納用箱において、上方から伝い落ちてくる水がネジを固定する部位周りに浸入することを抑制することである。
【課題を解決するための手段】
【０００６】
上記課題を解決するため、次のような手段を採用する。第一の手段は、雌ネジ及び／又は雄ネジが挿通されるネジ固定部が、筐体の垂直面または傾斜面に設けられたる電気機器収納用箱のネジ固定構造であって、前記ネジ固定部の周縁上部を覆うように突出した突出部を備えた電気機器収納用箱のネジ固定構造である。
【０００７】
第一の手段において、前記突出部は周縁下側に切り欠き部を備えた第二の手段が好ましい。
【０００８】
第一又は第二の手段において、前記ネジ固定部は、前記突出部が形成された筐体の垂直面または傾斜面の裏側の下部に排水部を備えた構成とする第三の手段が好ましい。
【発明の効果】
【０００９】
本発明では、ネジ固定部が筐体の垂直面または傾斜面に設けられる電気機器収納用箱のネジ固定構造のように、上方から伝ってきた水がネジ固定部内に浸入しやすそうな構成であっても、前記ネジ固定部の周縁上部を覆うように突出した突出部を備えた構成であるため、上方から伝ってくる水がネジ固定部内に浸入することを困難とさせることが可能となる。
【図面の簡単な説明】
【００１０】
【図１】本実施の形態の電気機器収納用箱の斜視図である。
【図２】電気機器収納用箱に化粧部材を取り付ける前の状態を示した斜視図である。
【図３】筐体にパネルを取りつける前の状態を示した斜視図である。
【図４】パネルを裏側から見た背面図である。
【図５】ネジ固定部と取付部周りの分解斜視図である。
【図６】ネジ固定部周りを拡大した部分拡大図である。
【発明を実施するための形態】
【００１１】
以下に発明を実施するための形態を示す。
図１は本実施の形態の電気機器収納用箱１の斜視図である。図２は電気機器収納用箱１に化粧部材４を取り付ける前の状態を示した斜視図である。図３は筐体３にパネル５を取りつける前の状態を示した斜視図である。図４はパネル５を裏側から見た背面図である。図５はネジ固定部６と取付部３１周りの分解斜視図である。本実施の形態においては、電気機器収納用箱１は車両の充電装置に用いられている。
【００１２】
図１に示した状態から化粧部材４を外すと図２に示したような状態となる。更に、表示部５９が設けられたパネル５を取り外すと図３に示した状態となる。図３に示した取付部３１はパネル５が固定される箇所であり、雄ネジ８を挿通可能な部位を備えている。また、図４に示した事項から理解されるように、表面に表示部５９が設けられたパネル５を裏面から見ると、パネル５には雄ネジ８を挿入可能な部位が備えられている。この部位は雄ネジ８を挿通可能な雄ネジ挿通孔である。
【００１３】
図５から理解されるように、パネル５と取付部３１は雄ネジ８を利用して取り付けられている。この雄ネジ８と螺合される雌ネジ９はパネル５の正面側に形成された雌ネジ挿通孔に挿入されている。より詳しくは、雌ネジ９の周囲面には、図示しない複数の小突起が形成されおり、パネル５の正面側に設けられた挿通孔状の雌ネジ挿通孔に雌ネジ９を打ち込むことで、この小突起が雌ネジ挿通孔に押し込まれ、雌ネジ挿通孔に雌ネジ９がしっかり固定される構造となっている。このように、パネル５の正面側から裏面側に渡って雄ネジ挿通孔と雌ネジ挿通孔を形成するネジ固定部６が設けられる。パネル５は垂直面と傾斜面を形成し、その垂直面と傾斜面にネジ固定部６が設けられる。尚、垂直面は地面に対して垂直な面、傾斜面は地面に対して傾斜させた面を意味する。雄ネジ８が雌ネジ９に螺合すると、ネジ固定部６は筐体３に設けられた取付部３１に対して固定されることになる。
【００１４】
図６はネジ固定部６周りを拡大した部分拡大図である。図６に示すようにパネル５の正面側は下部のほうが前方に位置するように傾斜している。したがって、ネジ固定部６の上方から水が垂れてくると、その水がネジ固定部６内に浸入することが考えられる。このようなことを防ぐため、ネジ固定部６の周縁上部を覆うように突出した突出部７を形成している。この突出部７は庇のような役割を果たしているため、ネジ固定部６内への水の浸入を抑制することが可能となる。この突出部７は、パネル５の正面側から突出して形成されている。より具体的には、この突出部７は円柱状の一部を切り欠いたように形成され、正面視でC字状に形成されている。この切り欠いた部分である切り欠き部７１は、突出部７の内側に浸入してしまった水を突出部７の外側に排出することができるように構成されたものであり、突出部７の周縁下側に形成されている。
【００１５】
なお、本実施例の雌ネジ９は真鍮製のナットであり、雄ネジ８はステンレス製のボルトである。螺合する部材の各々の材質が異なるものであるため、一般的には錆などが発生しやすいが、本実施の形態であれば、異質の材質を使っても、錆の発生を抑制することが可能である。このため、ネジ固定部６内に侵入してくる水を考慮せずにネジ部材の材質を選択することが可能となる。
【００１６】
ところで、ネジ固定部６はパネル５の正面側から裏面側に貫通した孔として形成されている。このため、ネジ固定部６の一方は、突出部７が形成されたパネル５の正面側に位置しているが、ネジ固定部６の他方は、その反対側である、パネル５の裏面側に位置している。このような構成であるため、パネル５の正面上を伝ってネジ固定部６に入り込んでしまった水は、パネル５の裏面側から排出することが可能である。
【００１７】
パネル５の裏面側には、ネジ固定部６より背面側に突出した壁部５１が設けられている。壁部５１はネジ固定部６の周囲に設けられており、周縁下部が切り欠かれた円柱状に形成されている。パネル５が取付部３１に固定された際、この壁部５１は取付部３１と接するが、周縁下部が切り欠かれているため、ネジ固定内の水を排出可能な空間である排水部５３を形成することが可能となる。したがって、パネル５の裏面側の下部から効果的に排水可能となる。
【００１８】
なお、上から垂れ落ちてくる水がネジ固定部６内に浸入することを効果的に抑制するため、突出部７の左右方向の幅は、正面視で、ネジ固定部６の左右方向の幅よりも大きく形成されている。
【００１９】
以上、一つの実施の形態について説明してきたが、本発明は上記実施の形態に限定されることはなく、各種の態様とすることが可能である。例えば、ネジ固定部は雌ネジ及び雄ネジが挿通可能な挿通孔として形成されてなくても良い。例えば、雄ネジだけが挿通可能な構成であっても、雌ネジだけが挿通可能な構成であっても良い。
【００２０】
雄ネジと雌ネジはボルトとナットである必要性はなく、螺合する形態であれば良い。また、雌ネジと雄ネジの材質を異なるものとする必要性はなく、材質が同じもので雄ネジと雌ネジを構成しても良い。
【００２１】
また、パネル５はその正面側の下部のほうが前方に位置するように傾斜して取付部３１に固定される形態のみに限定されず、どの方向に傾斜させて固定される形態でもよい。
【符号の説明】
【００２２】
１  電気機器収納用箱
３  筐体
６  ネジ固定部
７  突出部
８  雄ネジ
９  雌ネジ
３１  取付部
５３  排水部
７１  切り欠き部
【図１】
0006699936.tif 000002
【図２】
0006699936.tif 000003
【図３】
0006699936.tif 000004
【図４】
0006699936.tif 000005
【図５】
0006699936.tif 000006
【図６】
0006699936.tif 000007